(57)【要約】      （修正有）【課題】口元の他人から見える部位の表面を美的外観に優れた美観面とし、歯列矯正装置を装着する際の抵抗感の軽減を図れる歯列矯正用ワイヤー結紮部材を提供する。【解決手段】ブラケット２の溝部に挿入されるアーチワイヤー４をブラケットに係合して保持するための歯列矯正用ワイヤー結紮部材３である。このワイヤー結紮部材３は弾性変形する部材であり、後面側には、ブラケットに係脱自在に係合するとともにアーチワイヤーを保持するための係合部３３、３４が設けられ、係合部の反対側には、ブラケットの前面側を覆うように、かつ、前面に美観面３５を付与することが可能な前面板部３１が設けられ、前面板部３１は、歯列矯正者の歯に取り付けた状態における正面視で、多角形状、円形状、楕円形状、ハート形状、長円形状、及び、動物を含むキャラクターの形状から選択される１種の形状に形成されている。【選択図】図１
0003149245.tif 000002
【実用新案登録請求の範囲】
【請求項１】
歯列矯正用のブラケットの溝部に挿入されるアーチワイヤーを前記ブラケットに係合して保持するための歯列矯正用ワイヤー結紮部材であって、
前記歯列矯正用ワイヤー結紮部材は弾性変形する合成樹脂製の部材であり、
後面側には、前記ブラケットに係脱自在に係合するとともに前記アーチワイヤーを保持するための係合部が設けられ、
前記係合部の反対側には、前記ブラケットの前面側を覆うように形成され、かつ、前面に美観面を付与することが可能な前面板部が設けられ、
前記前面板部は、歯列矯正者の歯に、前記ブラケット及び前記歯列矯正用ワイヤー結紮部材を取り付けた状態における正面視で、多角形状、円形状、楕円形状、ハート形状、長円形状、及び、動物を含むキャラクターの形状から選択される１種の形状に形成されている
ことを特徴とする歯列矯正用ワイヤー結紮部材。
【請求項２】
請求項１に記載された歯列矯正用ワイヤー結紮部材において、
前記美観面には、美的外観を付与するための絵、図柄、図形、模様、写真、マーク、ロゴマーク、イラストレーション、及び、キャラクターから選択される１種以上が付与されている
ことを特徴とする歯列矯正用ワイヤー結紮部材。
【請求項３】
請求項２に記載された歯列矯正用ワイヤー結紮部材において、
前記美観面は、射出成形、印刷、手書き、貼り付けから選択される１種以上の方法で形成されている
ことを特徴とする歯列矯正用ワイヤー結紮部材。
【請求項４】
請求項３に記載された歯列矯正用ワイヤー結紮部材において、
前記係合部は、前記ブラケットに係脱自在に係合し、かつ離間して配置された少なくとも２つの脚部と、前記２つの脚部と一体となり湾曲して弾性変形し、前記脚部が前記ブラケットに係合したとき前記アーチワイヤーを保持する背部とからなっている
ことを特徴とする歯列矯正用ワイヤー結紮部材。
【考案の詳細な説明】
【技術分野】
【０００１】
本考案は、歯列矯正の治療に用いられる歯列矯正用ワイヤー結紮部材に関する。更に詳しくは、歯列矯正を行っている人の口元の他の人から見える部位を美的外観に優れた美観面とし、歯列矯正装置を装着する際の抵抗感を軽減させることができる歯列矯正用ワイヤー結紮部材に関する。
【背景技術】
【０００２】
歯列不整に対する矯正治療方法にブラケットを使用することは公知でありよく知られている。歯列矯正はブラケット等を歯牙に接着させ、このブラケット等に取り付けたアーチワイヤーの物理的なテンション力、即ち押圧、引き戻し、捩り等、復元力を歯に与え、徐々に歯の位置を変えていくことで、歯列を矯正する。
【０００３】
歯並びが悪く、正しいかみ合わせができない状態を、不正咬合（ふせいこうごう）といい、この状態を放っておくと、歯並びを気にして笑えない、正しい発音ができない、歯みがきが行きとどかず、虫歯や歯周病になりやすい等の問題点が発生する。
【０００４】
また、近年、固い食物を噛まない食生活の影響で、顎が未発達の人が増加し、未発達の顎に同じ本数の歯が生えることにより、歯並びが悪い人、不正咬合の人等が増加する傾向にある。このような人は、前述したような問題を発生させないために歯列矯正を行うとよい。しかしながら、この歯列矯正は、徐々に矯正するため長期間（例えば、１〜２年）行わなくてはならない。一般的に、歯列矯正は、歯牙にブラケットを接着し、アーチワイヤーで所定の位置に徐々に移動させていく方法が多く採用されている。
【０００５】
この歯列矯正用のブラケット、アーチワイヤー等からなる歯列矯正装置は、笑ったり、話をしたりする際、口元に目立ち、見た目に良くない。そのため、歯列矯正を行うことが必要な人の中には、このような見た目の悪さ等を気にして、または、格好悪いなどと思いこんで、歯列矯正を行うことを躊躇している人がいる。
【０００６】
このような問題を解決するために、スピネル型結晶構造を有する透光性セラミックからなる歯列矯正ブラケット、正方晶性ジルコニアからなる歯列矯正用ブラケット等に関する技術が知られている（例えば、特許文献１、２参照）。これら技術では、ブラケットが、透明、半透明や人の歯の色に近いものとなり、美観、審美性に優れているとされている。
【０００７】
また、燐酸カルシウム質ガラス繊維（ＣＰＳＡ）からなる審美性に優れた歯科矯正ワイヤー、中央軸、外層を光学的に透明または半透明にした歯科矯正用ワイヤーに関する技術も知られている（例えば、特許文献３、４参照）。この技術でも、矯正ワイヤーが、透明、半透明や人の歯の色に近いものとなり、美観、審美性に優れているとされている。さらに、美的外観に優れ、歯列矯正用ブラケットを覆い口内粘膜潰瘍並びに虫歯を予防に役立つ歯列矯正用美的ブラケット保護具に関する技術が知られている（例えば、特許文献５参照）。
【０００８】
また、矯正器のベース部若しくは結紮カバーの一部分を着色する着色手段を含んだ結紮カバーを含んだ歯列矯正器に関する技術が知られている（例えば、特許文献６参照）。
【特許文献１】特開昭６４−０５２４４８号公報
【特許文献２】特開平０８−１１７２４８号公報
【特許文献３】特開平０９−２９４７４９号公報
【特許文献４】特開平０２−１０９５５２号公報
【特許文献５】実開平０６−０３４６０６号公報
【特許文献６】特表２００８−５１１３５９号公報
【考案の開示】
【考案が解決しようとする課題】
【０００９】
このように、歯列矯正用のブラケット、ワイヤー等は、日々、改良が加えられている。しかしながら、特許文献１から４の技術は、所詮ブラケット、ワイヤーを目だたないようにしているにすぎない。また、特許文献５の技術にしても、従来のものに比べれば美観性を有するとも言えるが、まだまだ、歯列矯正用具に被せる保護具であって、口内粘膜潰瘍、虫歯を予防するための保護具としての機能が中心で、歯列矯正中の口元が気にならないで、談笑できるというレベルには達していない。
【００１０】
さらに、特許文献６の技術は、所望の美的外観を生じさせるために歯列矯正器を着色する着色手段を含む歯列矯正器であり、有色色素若しくは顔料の選定により色を選定できるものにすぎない。この特許文献６には、「小さな装飾品を望みに応じて歯列矯正器に結合してもよいとされている（段落番号００２２参照）」と記載されているが、具体的な構成、方法等については全く記載がない。
【００１１】
一方、ワイヤーをブラケットに固定するゴムをカラーモジュール（カラーゴム）にして美観性を向上させているものもある。すなわち、透明のブラケットと、ブラケットの周縁に設けられる各種の色に着色されたカラーモジュールとのコントラストで美観を向上させる効果を備えているものである。しかしながら、歯列矯正を必要とする人が、他人の目を気にして躊躇することなく、気軽に、おしゃれを楽しむような雰囲気で歯列矯正を行えるようなレベルには達していない。
【００１２】
そのために、歯列矯正装置の部材（例えば、歯列矯正用ワイヤー結紮部材）を、積極的な美観面を有する部材、すなわち、身体につけるお洒落な部材、アクセサリー等としての価値のあるものとすることで、歯列矯正の更なる普及拡大を図れると期待されている。すなわち、お洒落な部材、アクセサリーとしての評価を有し、歯列矯正は見栄えが悪い、格好悪いなどという偏見をなくし、歯列矯正のための部材を装着する際の抵抗感を軽減させることができ、歯列矯正に関する問題点の一つを解決することができる。言い換えると、アクセサリー、装飾品を身体につけて楽しむような感覚で、歯列矯正装置を装着してもらえるようになることが好ましい。すなわち、歯列矯正装置の他人から見える表面（唇側の表面）が、歯列矯正する人の好みの図形、デザイン等の形状に形成され、さらに、その上に、好みの図形、デザイン、絵、模様、写真等が印刷、貼り付けなどされているとよい。
【００１３】
本考案は、前述のような技術背景のもとに創案されたもので、下記の目的を達成する。
本考案の目的は、唇側である前面が美的外観に優れ、歯列矯正装置を装着する際の抵抗感を軽減させることができる歯列矯正用ワイヤー結紮部材を提供することにある。
【課題を解決するための手段】
【００１４】
本考案は、上記目的を達成するために、次の手段で達成される。
本考案１の歯列矯正用ワイヤー結紮部材は、歯列矯正用のブラケットの溝部に挿入されるアーチワイヤーを前記ブラケットに係合して保持するための歯列矯正用ワイヤー結紮部材であって、前記歯列矯正用ワイヤー結紮部材は弾性変形する合成樹脂製の部材であり、後面側には、前記ブラケットに係脱自在に係合するとともに前記アーチワイヤーを保持するための係合部が設けられ、前記係合部の反対側には、前記ブラケットの前面側を覆うように形成され、かつ、前面に美観面を付与することが可能な前面板部が設けられ、前記前面板部は、歯列矯正者の歯に、前記ブラケット及び前記歯列矯正用ワイヤー結紮部材を取り付けた状態における正面視で、多角形状、円形状、楕円形状、ハート形状、長円形状、及び、動物を含むキャラクターの形状から選択される１種の形状に形成されていることを特徴とする。
【００１５】
本考案２の歯列矯正用ワイヤー結紮部材は、本考案１において、前記美観面には、美的外観を付与するための絵、図柄、図形、模様、写真、マーク、ロゴマーク、イラストレーション、及び、キャラクターから選択される１種以上が付与されていることを特徴とする。
【００１６】
本考案３の歯列矯正用ワイヤー結紮部材は、本考案２において、前記美観面は、射出成形、印刷、手書き、貼り付けから選択される１種以上の方法で形成されていることを特徴とする。射出成形は、インサートされたフィルム状のものを一体成形するとよい。貼り付けは、フィルム、写真等の貼り付けであることが好ましい。
【００１７】
本考案４の歯列矯正用ワイヤー結紮部材は、本考案３において、前記係合部は、前記ブラケットに係脱自在に係合し、かつ離間して配置された少なくとも２つの脚部と、前記２つの脚部と一体となり湾曲して弾性変形し、前記脚部が前記ブラケットに係合したとき前記アーチワイヤーを保持する背部とからなっていることを特徴とする。
【考案の効果】
【００１８】
本考案の歯列矯正用ワイヤー結紮部材は、前面を美観面とすることで、歯列矯正用装置をお洒落な部材、アクセサリー、アクセサリーに準じたものの一部とすることができた。従って、笑った時等でも、他人の視線を気にすることなく、かえって見せたくなるものとすることができた。すなわち、小学校高学年向け、女性向け等に好適なものとすることができた。また、歯列矯正用ワイヤー結紮部材は、ブラケットに対して容易に装着でき、ワイヤー調整毎に、異なる美観面のものとすることができ、選択する楽しみを増大させることができる。
【００１９】
歯列矯正を必要とする人が、歯列矯正装置を装着する際の抵抗感を軽減でき、他人の目を気にし躊躇することもなく、歯列矯正の普及拡大を図ることができる。歯列矯正の普及が図れれば、虫歯や歯周病の予防等が図れる。特に、顎の未発達の人が増えている現代では、歯列矯正はかかせないものとなりつつあるので貢献度が向上する。
美観面には、射出成形、印刷、手書き、フィルム貼り等の簡単な方法で、自分の好きな絵、図柄、写真等を付与することができ、歯列矯正用ワイヤー結紮部材の価格を安価にすることができる。
【考案を実施するための最良の形態】
【００２０】
以下、本考案の実施の形態を、図面を参照しながら説明する。
図１は、本考案の歯列矯正用ワイヤー結紮部材を備えた歯列矯正装置を示す斜視図である。図２は、歯列矯正用ワイヤー結紮部材の正面図であり、美観面に図１と異なる絵が付与された形態を図示している。図３は、歯列矯正用ワイヤー結紮部材の側面図、図４は、図２をＡ−Ａ線で切断した断面図である。図５は、歯列矯正装置を装着した状態の口元を示す外観図である。
【００２１】
歯列矯正装置１は、歯列矯正用のブラケット２、歯列矯正用ワイヤー結紮部材（以下、ワイヤー結紮部材と記載する）３、アーチワイヤー４等から構成されている。
ブラケット２は、歯列矯正を行う人の歯Ｔの前面に装着するものである。ブラケット２は、平行に配置された２組のウィング２２を有するツインタイプの透明な合成樹脂製ブラケットである。ウィング２２は、４つの張出し部分ということができる。ブラケット２の中央部の位置に、アーチワイヤー４を貫通させて保持するための凹溝状のスロット２３が形成されている。スロット２３は、アーチワイヤー４が挿入されるとともに摺動するための溝ということができる。接合面２１は、ブラケット２を歯Ｔの歯面に接合（例えば接着）させるための部位である。
【００２２】
なお、ブラケットは、シングルブラケット等他の形状のブラケットであってもよい。さらに、ブラケットは、メタルブラケット、プラスチックブラケット、セラミックブラケット等他の材質のものであってもよい。
【００２３】
ワイヤー結紮部材３は、弾性変形可能な合成樹脂（例えば、熱可塑性合成樹脂）で成形されたものであり、両端に配置された脚部３４、中央部に配置されたワイヤーキーパー部３２、これらを連結する背部３３、脚部３４の反対側に形成され、美観面３５を有する前面板部３１等から構成されている。両端に配置された脚部３４、中央部に配置されたワイヤーキーパー部３２は、互いに平行になるように配置され、かつ、それらの長さ方向の中心部に配置された背部３３で一体に連結されている。脚部３４、背部３３等でワイヤー結紮部材３の係合部が構成される。
【００２４】
ブラケット２にワイヤー結紮部材３が押し込まれたとき、脚部３４が、ウィング２２の下部２２ａに係合される構造になっている。背部３３には、これを横切る（クロス）する方向で、かつこれと一体にワイヤーキーパー部３２が形成されている。ワイヤーキーパー部３２は、ブラケット２のスロット２３に挿入される部分である。
【００２５】
ワイヤーキーパー部３２の下面３２ａは、アーチワイヤー４の上面に配置されているので、ワイヤーキーパー部３２の高さを変えることにより、アーチワイヤー４との間隔を調整できる。すなわち、矯正治療の初期段階においては、ワイヤーキーパー部３２の下面３２ａとアーチワイヤー４の上面とが接しないように隙間が形成される程度のワイヤーキーパー部３２の高さとするとよい。このため、ワイヤーキーパー部３２とアーチワイヤー４との摩擦が少ないので、アーチワイヤー４は、スロット２３内で自由に摺動できる状態を作ることができる。
【００２６】
矯正治療の中期、後期段階においては、大きな移動を必要としないので、ワイヤーキーパー部３２の下面３２ａとアーチワイヤー４の上面とが接するようなワイヤーキーパー部３２の高さとするとよい。この接触により、アーチワイヤー４のトルクをブラケット２に有効に伝達することができるので、矯正治療効果が上がるという利点がある。
【００２７】
ワイヤー結紮部材３は、弾性変形するようになっていて、外部から例えば指でＦの力を加えると、脚部３４は両矢印のように外側に押し広げられる（図３参照）。指を離すと脚部３４は元の形状に復元する。
【００２８】
従って、このワイヤー結紮部材３をブラケット２に押し込むと、ワイヤー結紮部材３の弾性変形を利用し、指先、又は簡単な押し込み道具のみで一気に押して、ワイヤー結紮部材３をブラケット２に組付けることができる。すなわち、ブラケット２にワイヤー結紮部材３を係合することができる。このワイヤー結紮部材３をブラケット２から外すときは、ワイヤー結紮部材３の背部３３を刃物で切断して外す。すなわち、ブラケット２からワイヤー結紮部材３が離脱する。なお、本実施の形態では、係合部を、脚部がウィングに係合される構成の係合部（脚部、背部）として説明を行っているが、ブラケットにワイヤー結紮部材が係合できる構造のものであれば、他の構造のものであってもよい。
【００２９】
次に、ワイヤー結紮部材３の美観面３５を有する前面板部３１について説明を行う。図５に示すように、歯列矯正装置１を装着した状態では、前面板部３１の美観面３５が前面側（唇側）に位置し、談笑をするとき、口元から目立つ部分となる。本実施の形態では、この美観面３５に、装着する人が好きな絵柄、自慢したくなるような絵柄等を付与していることが特徴となっている。例えば、図１では、鳥の絵が付与されている。また、図２では、花の絵が付与されている。このように、美観面３５には、美的外観を付与するための絵、図柄、図形、模様、写真、マーク、ロゴマーク、イラストレーション、キャラクター等が付与されている。さらに、具体的には、動物、植物、建築物、想像上の物、創作物等の絵、イラストレーション、人、風景、動物、植物、建築物等の写真、人の似顔絵等が付与されている。
【００３０】
本実施の形態のワイヤー結紮部材３は、前面板部３１が、歯列矯正を行っている人の歯Ｔにブラケット２及びワイヤー結紮部材３を取り付けた状態における正面視で四角形状をしており、前面側（唇側）が美観面３５になっている。ワイヤー結紮部材３は、美観面３５を形成するための絵柄が印刷されたシート状、フィルム状、薄板状の樹脂体３８と、前面板部３１の基部、ワイヤーキーパー部３２、背部３３、脚部３４等を形成する樹脂体３９とを、射出成形による一体成形をして形成されている（図４参照）。
【００３１】
このように形成されたワイヤー結紮部材３を有する歯列矯正装置１で歯列矯正を行っている状態を図５に示す。歯列矯正装置１を装着した状態で談笑すると、図５に示すように、口元から、美観面３５がちらっと見える状態となる。しかしながら、美観面３５は、歯列矯正を行っている人が好きで、他人にも見せたいような絵、写真等であり、友人等との会話の話題となって会話がさらに進展することも生じる。従って、歯列矯正を行うことに対する抵抗感を軽減させ、躊躇する理由をなくすことができる。また、ワイヤー調整のたびに、異なる美観面のものを選択すると、選択するという楽しみが増加する。
【００３２】
〔他の実施の形態〕
図６〜８に、ワイヤー結紮部材の他の実施の形態を示す。
図６に示すように、ワイヤー結紮部材１０３の前面板部１３１の正面視の形状は、円形状のものであってもよい。この前面板部１３１の美観面１３５にも、歯列矯正を行っている人が選択した絵等が付与されている。
また、前面板部の形状は、前述した四角形状、円形状の他、四角形状を含む多角形状（例えば６角形状、８角形状、台形形状等）、楕円形状、ハート形状、長円形状などであってもよい。すなわち、食べ物かすがたまるような凹凸、歯みがきがしにくいような凹凸等が、側面に少ない形状のものであればよい。
【００３３】
さらに、図７、８に示すように、ワイヤー結紮部材の前面板部の正面視の形状は、動物を含むキャラクターの形状であってもよい。例えば、図７に示すワイヤー結紮部材２０３の前面板部２３１は、動物のキャラクターの形状（輪郭形状）に形成されている。この前面板部２３１の美観面２３５には、この動物のキャラクターの絵等が付与されている。また、図８に示すワイヤー結紮部材３０３の前面板部３３１は、歯（身体の部位）のキャラクターの形状に形成されている。この前面板部３３１の美観面３３５には、この歯のキャラクターの絵等が付与されている。
【００３４】
なお、この実施の形態でいうキャラクターの形状は、動物、植物、建築物、想像上の物、身体の部位、創作物、風景等をイラストレーションしたもの、キャラクター化したものの形状等を含むものである。その場合、この前面板部の美観面には、このイラストレーション、キャラクターの絵等が付与されている。
【００３５】
前述した実施の形態では、ワイヤー結紮部材を射出成形による一体成形で形成するものとして説明を行ったが、これに限定されることはない。例えば、射出成形で成形された前面板部３１、１３１、２３１、３３１の前面に、所望の絵、図柄、模様等を手書きで描いて、美観面３５、１３５、２３５、３３５を形成してもよい。自分自身、親子、兄弟、姉妹、友達等で楽しみながら描くと、歯列矯正装置の部材に親近感が増大する。例えば、前面板部と係合部とが一体になったもの（例えば、樹脂体３９）を射出成形で成形し、前面板部の前面に所望の絵、図柄、模様等を手書きする。なお、この場合、使用する顔料は、身体に無害な顔料を使用すればよい。
【００３６】
さらに、前面板部３１、１３１、２３１、３３１の前面に、所望の絵、図柄、模様等を印刷し、美観面３５、１３５、２３５、３３５を形成してもよい。前面板部３１、１３１、２３１、３３１に美観面３５、１３５、２３５、３３５を印刷で形成する場合、例えば、スクリーン印刷、ジェット印刷（インクジェット印刷）等で印刷するとよい。例えば、前面板部と係合部とが一体となったもの（例えば、樹脂体３９）を射出成形で成形し、前面板部の前面に所望の絵、図柄、模様等をスクリーン印刷、ジェット印刷などで印刷して美観面を形成するとよい。なお、この場合も、使用する顔料は、身体に無害な顔料を使用すればよい。
【００３７】
また、射出成形で成形された前面板部３１、１３１、２３１、３３１の前面に、所望の絵、図柄、模様等が描かれたシート状、フィルム状、薄板状のもの、写真等を貼り付けて美観面３５、１３５、２３５、３３５を形成してもよい。さらに、美観面を有する薄板状の面板を、前面板部に対して、機械的な嵌め合い、ねじ結合等により、係脱可能に固定する構成のものであってもよい。
【００３８】
以上、本考案の実施の形態について説明してきたが、本考案はこの実施の形態に限定されないことはいうまでもない。例えば、美観面は、平面状のもので説明を行ったが、食べ物かすがたまらない程度の凹凸、歯みがきが容易な凹凸等であればあってもよい。凹凸が少しあると、美観面が立体的なものとなり、さらに審美性に優れたものとすることができる。
【図面の簡単な説明】
【００３９】
【図１】図１は、本考案の歯列矯正用ワイヤー結紮部材を備えた歯列矯正装置を示す斜視図である。
【図２】図２は、本考案の歯列矯正用ワイヤー結紮部材の正面図であり、美観面に図１と異なる絵が付与された形態を図示している。
【図３】図３は、本考案の歯列矯正用ワイヤー結紮部材の側面図である。
【図４】図４は、図２をＡ−Ａ線で切断して示した断面図である。
【図５】図５は、歯列矯正装置を装着した状態の口元を示す外観図である。スライダ
【図６】図６は、歯列矯正用ワイヤー結紮部材の他の実施の形態を示す正面図であり、前面板部が円形に形成されている歯列矯正用ワイヤー結紮部材の正面図である。
【図７】図７は、歯列矯正用ワイヤー結紮部材の他の実施の形態を示す正面図であり、前面板部が動物のキャラクターの形状に形成されている歯列矯正用ワイヤー結紮部材の正面図である。
【図８】図８は、歯列矯正用ワイヤー結紮部材の他の実施の形態を示す正面図であり、前面板部が歯のキャラクターの形状に形成されている歯列矯正用ワイヤー結紮部材の正面図である。
【符号の説明】
【００４０】
１、１０１、２０１、３０１…歯列矯正装置
２…ブラケット
３…歯列矯正用ワイヤー結紮部材
４…アーチワイヤー
３１、１３１、２３１、３３１…前面板部
３５、１３５、２３５、３３５…美観面
【図１】
0003149245.tif 000003
【図２】
0003149245.tif 000004
【図３】
0003149245.tif 000005
【図４】
0003149245.tif 000006
【図５】
0003149245.tif 000007
【図６】
0003149245.tif 000008
【図７】
0003149245.tif 000009
【図８】
0003149245.tif 000010